(57)【要約】      （修正有）【課題】非接触読み取り機のアンテナの磁界の中にある非接触受信機を検出し、いずれの受信機も存在しない、待ち受け段階での電力消費を低減する。【解決手段】非接触受信機を検出するための方法は、次に示すステップを備える。第１の値の電圧と第２の値の電圧との間のランプ（Ｆｍ）と、ランプに続いた、第２の値の電圧におけるプラトー（Ｐｌ）とを備えた電圧によって読み取り機のアンテナを励振ステップと、前記プラトーの間にアンテナ応答を測定するステップと、測定した応答と基準応答とを比較するステップと、比較の結果に基づいて、非接触読み取り機のアンテナの磁界の中に受信機が存在するか否かを判定するステップとを備える。【選択図】図２
2012231463.tif 000002
【特許請求の範囲】
【請求項１】
非接触読み取り機（３）のアンテナ（Ａ）の磁界の中にある非接触受信機を検出するための方法であって、
−第１の値の電圧と第２の値の電圧との間のランプ（Ｆｍ）と、
−前記ランプに続いた、前記第２の値の電圧におけるプラトー（Ｐｌ）とを備えた
−電圧によって前記読み取り機の前記アンテナ（Ａ）を励振ステップと、
−前記プラトーの間に前記アンテナの応答を測定するステップと、
−前記測定した応答と基準応答とを比較するステップと、
−前記比較の結果に基づいて、前記非接触読み取り機の前記アンテナの前記磁界の中に受信機が存在するか否かを判定するステップとを備えていることを特徴とする方法。
【請求項２】
前記読み取り機の前記アンテナは、直列に接続された抵抗（Ｒ）、容量（Ｃ）、およびインダクタンス（Ｌ）を有する共振器によってモデル化することができ、前記共振器の自然周期はＴであり、前記ランプの継続時間は、Ｔ／３よりも短いことを特徴とする、請求項１に記載の方法。
【請求項３】
前記プラトーは、８＊Ｔよりも長い継続時間を有し、前記プラトーの前記継続時間は、望ましくは、前記アンテナ応答の前記測定の継続時間の５０％以上であることを特徴とする、請求項２に記載の方法。
【請求項４】
前記プラトーは、５０＊Ｔよりも長い継続時間を有することを特徴とする、請求項３に記載の方法。
【請求項５】
前記共振器の共振周波数は、１０ＭＨｚと２０ＭＨｚとの間にあることを特徴とする、請求項２〜４のいずれか１項に記載の方法。
【請求項６】
−前記プラトーの間に、前記アンテナ応答の前記測定を中断するステップと、
−前記プラトーに続いて、
−前記第２および第１の値の電圧の間の別のランプと、
−前記別のランプに続いて、前記第１の値の電圧における別のプラトーとを備えた別の電圧によって前記読み取り機の前記アンテナを励振するステップと、
−前記別のプラトーの間に、前記アンテナ応答を測定するステップと、
−前記別のプラトーの間の前記測定した応答と基準応答とを比較するステップと、
−前記比較の結果に基づいて、前記非接触読み取り機の前記磁界の中に受信機が存在するか否かを判定するステップとを更に備えていることを特徴とする、請求項１〜５のいずれか１項に記載の方法。
【請求項７】
実施される前記読み取り機および前記受信機は、誘導結合アンテナを有するタイプであることを特徴とする、請求項１〜６のいずれか１項に記載の方法。
【請求項８】
−前記測定した応答を、前記読み取り機の前記アンテナと受信機との間の種々の距離に対応した基準応答と比較するステップと、
−前記測定した応答と前記基準応答との間の前記比較に基づいて、前記読み取り機の前記アンテナと受信機との間の距離を判定するステップとを備えていることを特徴とする、請求項１〜７のいずれか１項に記載の方法。
【請求項９】
−前記測定した応答を、前記読み取り機の前記アンテナの前記磁界の中に存在する受信機の種々のタイプに対応した基準応答と比較するステップと、
−前記比較に基づいて、前記読み取り機の前記アンテナの前記磁界の中に存在する受信機のタイプを識別するステップとを備えていることを特徴とする、請求項１〜８のいずれか１項に記載の方法。
【請求項１０】
受信機のタイプが中継器であると識別された場合には、前記読み取り機と前記識別された中継器との間の通信処理をブロックするためのステップを更に備えていることを特徴とする、請求項９に記載の方法。
【請求項１１】
前記比較するステップは、
−前記基準応答と前記測定した応答との間の相関を算出するステップと、
−前記測定した応答の振幅を前記基準応答の振幅と比較するステップと、
−前記測定した応答の包絡線を前記基準応答の包絡線と比較するステップと、
−測定したスペクトル応答を基準スペクトル応答と比較するステップと、
−前記測定した応答の統計要素を前記基準応答の統計要素と比較するステップとを備えているグループの中から選択されることを特徴とする、請求項１〜１０のいずれか１項に記載の方法。
【請求項１２】
非接触読み取り機（３）であって、
−アンテナ（Ａ）と、
−受信機との通信段階の間に、前記アンテナの前記共振周波数に実質的に等しい周波数で前記アンテナを選択的に励振するように構成された回路（Ｐｅ）を備え、
前記回路は、
−第１の値の電圧と第２の値の電圧との間のランプと、
−前記ランプに続いた、前記第２の値の電圧におけるプラトーとを備えた電圧で前記アンテナを選択的に励振し、
−前記プラトーの間に前記アンテナの応答を測定し、
−前記測定した応答を基準応答と比較し、
−前記比較の結果に基づいて、前記アンテナの磁界の中に受信機が存在するか否かを判定するように構成されていることを特徴とする非接触読み取り機。
【請求項１３】
前記読み取り機の前記アンテナは、直列に接続された抵抗、容量、およびインダクタンスを有する共振器でモデル化することができ、前記共振器の自然周期はＴであり、前記回路は、０．１＊Ｔよりも短い継続時間を有する前記ランプを印加するように構成されていることを特徴とする、請求項１２に記載の非接触読み取り機。
【請求項１４】
前記回路は、８＊Ｔよりも長い継続時間を有する前記プラトーを印加するように構成されていることを特徴とする、請求項１３に記載の非接触読み取り機。
【請求項１５】
前記読み取り機は、誘導結合アンテナを有するタイプであることを特徴とする、請求項１２〜１４のいずれか１項に記載の非接触読み取り機。
【発明の詳細な説明】
【技術分野】
【０００１】
本発明は、ＲＦＩＤシステムの中で、または非接触通信のために実施される、誘導結合による無線通信に関する。
【背景技術】
【０００２】
非接触伝送を利用する応用の例が増加してきている。特に、誘導ＲＦＩＤタイプの通信システムが開発され、迅速に広まりつつある。これらのシステムは、基地局（または読み取り機）と、識別番号を備えて遠隔で給電される受信機として動作する自律物体とを備えている。受信機は、一般的に、製品に張られる場合にはラベルと呼ばれるか、または人の識別のために設計されている場合には、非接触カードと呼ばれている。
【０００３】
上記のようなシステムでは、リンクは、読み取り機と１つ以上の受信機との間の無線周波数磁界によって確立される。この磁界は準静的である。読み取り機の結合デバイスと受信機の結合デバイスとは、導電回路であり、この導電回路は、ループ、巻線またはコイルを含み、これらはアンテナ回路を形成している。電子素子は、アンテナ回路に関連しており、周波数同調、ダンピング、またはインピーダンス整合を実行する機能を有する。
【０００４】
図１は、誘導結合を有する、読み取り機１および非接触ＲＦＩＤ受信機２の通常の電気的回路図の例である。
【０００５】
読み取り機側では、アンテナ回路Ａｅは、抵抗Ｒｅと容量Ｃｅとに直列に接続された等価インダクタンスＬｅでモデル化することができる。アンテナ回路Ａｅは、読み取り機の電子回路Ｐｅｅに接続されている。読み取り機の出力インピーダンスは、抵抗Ｒｃｅでモデル化することができ、アンテナ回路Ａｅおよび電源Ｇｅに直列に接続されている。
【０００６】
受信機側では、アンテナ回路Ａｒは、等価インダクタンスＬｒでモデル化することができる。アンテナ回路Ａｒは、電子回路Ｐｅｒに接続されている。電子回路は、キャパシタＣｒを含んでいる。この電子回路の電力消費は、等価インダクタンスＬｒに並列に接続された抵抗Ｒｒでモデル化することができる。
【０００７】
誘導結合は、読み取り機と受信機との間におけるエネルギーの転送を、相互インダクタンスによって誘起する。受信機が読み取り機の十分近傍に置かれたときには、読み取り機のアンテナは、受信機のアンテナと結合される。従って、交流の電圧または起電力が、受信機の中に誘起される。この電圧は整流されて、一般的に受信機の機能を給電するために使用される。
【０００８】
受信機から読み取り機へのデータの送信を可能にするために、受信機は、アンテナ回路の端子に現れるインピーダンスを変調する。このインピーダンスの変化は、誘導結合を通して読み取り機によって検出される。誘導型のＲＦＩＤシステムに対する設計仕様は、特に標準規格ＩＳＯ１５６９３、ＩＳＯ１８０００−３、およびＩＳＯ１４４４３の中で規定されている。これらの標準規格は、特に、信号搬送波の周波数を１３．５６ＭＨｚに固定している。ＩＳＯ１８０００−２規格は、１３５ｋＨｚよりも低い周波数レベルに信号搬送波を固定している。実際に使用する場合には、読み取り機と受信機との間の通信距離は、比較的に限定され、これらの周波数に対しては、典型的には、約１０ｃｍから１ｍの間にある。
【０００９】
読み取り機に対しては、次に示す２つの異なる段階の動作を考えることができる。これらは、
−読み取り機の磁界の中で受信機が識別されたときの通信段階と、
−読み取り機の磁界の中で受信機が識別されていないときの待ち受け段階とである。
【００１０】
読み取り機と受信機との間のいずれの通信段階の前にも、読み取り機は、この受信機が自分の通信磁界の中にいることを識別しなければならない。待ち受け段階では、読み取り機は、自分の通信磁界の中に１つ以上の受信機が存在することを識別しようと周期的に試みる。定期的な時間間隔で、所定の時間区間の間、アンテナの共振周波数における正弦波電圧でアンテナを励振することにより、読み取り機の無線周波数磁界を励起する。励起されている時間の間、読み取り機は、標準化されたプロトコルに従って、いくつかの要求を反復して発出する。これらの要求に続いて、読み取り機は、その励起された磁界を維持して、可能な受信機の応答を検出する。受信機の検出を加速するために、磁界は、待ち受け段階の間は、比較的に長いデューティサイクル（例えば、０．２５）で励起される。
【００１１】
特許文献１は、ＲＦＩＤ読み取り機の磁界の中にあるＲＦＩＤトランスポンダを検出するための方法を記載している。この方法によれば、ＲＦＩＤ読み取り機は、継続時間２μｓの電圧パルスを自分のアンテナ端子に印加する。このパルスに続いて、アンテナからの強度応答を測定して、フィルタリングを行う。この応答の減衰速度によって、読み取り機は、自分の磁界の中にトランスポンダが存在するか否かを判定する。特許文献１の中で提供されている例では、ＲＦＩＤトランスポンダが存在しない場合には、強度応答は、約１００励振サイクルに対応して約８００μｓの減衰時間を示す。
【先行技術文献】
【特許文献】
【００１２】
【特許文献１】欧州特許第０９４４０１４号明細書
【発明の概要】
【発明が解決しようとする課題】
【００１３】
エレクトロニクスの種々の分野において、環境問題や自律に対する問題が大きくなっており、開発者たちは、それに駆動されて電力消費の低減に対してより大きな注意を払うようになっている。従って、読み取り機の電力消費を極力低減することが望ましく、特に、いずれの受信機も存在しない、待ち受け段階での電力消費を低減することが望ましい。待ち受け段階における電力消費は、無視できない量である可能性があり、更には、待ち受け段階は、読み取り機の動作時間の主要部分を占める可能性がある。
【課題を解決するための手段】
【００１４】
本発明は、これらの欠点の中の１つ以上を解決することを目的としている。すなわち、本発明は、非接触読み取り機のアンテナの磁界の中に存在する非接触受信機を検出するための方法に関するものであり、本発明は、次に示すステップを備えている。
−第１の値の電圧と第２の値の電圧との間のランプと、
−ランプに続いた、第２の値の電圧におけるプラトーとを備えた
−電圧によって読み取り機のアンテナを励振ステップと、
−前記プラトーの間にアンテナ応答を測定するステップと、
−測定した応答と基準応答とを比較するステップと、
−比較の結果に基づいて、非接触読み取り機のアンテナの磁界の中に受信機が存在するか否かを判定するステップ。
【００１５】
１つの実施形態においては、読み取り機のアンテナは、直列に接続された抵抗、容量、およびインダクタンスを有し、共振器自然周期Ｔの共振器によってモデル化することができる。ここで、ランプの継続時間は、Ｔ／３よりも短い。
【００１６】
更なる実施形態においては、プラトーは、８＊Ｔよりも長い継続時間を有し、このプラトーの継続時間は、アンテナ応答の測定継続時間の５０％以上であることが望ましい。
【００１７】
別の実施形態においては、プラトーは、５０＊Ｔよりも長い継続時間を有する。
【００１８】
別の実施形態においては、共振器の共振周波数は、１０ＭＨｚと２０ＭＨｚとの間の範囲にある。
【００１９】
さらに別の実施形態においては、本方法は、次に示すステップを備えている。
−望ましくは、前記プラトーの間に、アンテナ応答の前記測定を中断するステップと、
−前記プラトーに続いて、
−第２の値の電圧と第１の値の電圧との間の別のランプと、
−この別のランプに続いて、第１の値の電圧における別のプラトーとを備えた別の電圧によって読み取り機のアンテナを励振するステップと、
−前記別のプラトーの間にアンテナ応答を測定するステップと、
−前記別のプラトーの間に測定した応答と基準応答とを比較するステップと、
−前記比較の結果に基づいて、非接触読み取り機の磁界の中に受信機が存在するか否かを判定するステップ。
【００２０】
１つの実施形態においては、実施される読み取り機および受信機は、誘導結合アンテナを有するタイプである。
【００２１】
さらに別の実施形態においては、本発明の方法は、以下に示すステップを備えている。
−測定した応答を、読み取り機のアンテナと受信機との間の種々の距離に対応した基準応答と比較するステップと、
−測定した応答と基準応答との間の比較に基づいて、読み取り機のアンテナと受信機との間の距離を判定するステップ。
【００２２】
受信機のタイプが中継器であると識別された場合には、本発明の方法は、読み取り機および識別された中継器の間の通信処理をブロックするためのステップを更に備えている。
【００２３】
別の実施形態においては、本発明の方法は、次に示すステップを備えている。
−測定した応答を、読み取り機のアンテナの磁界の中に存在する受信機の種々のタイプに対応した基準応答と比較するステップと、
−前記比較に基づいて、読み取り機のアンテナの磁界の中に存在する受信機のタイプを識別するステップ。
【００２４】
さらに別の実施形態においては、比較するステップは、次に示すステップのグループから選択される。
−基準応答と測定した応答との間の相関を算出するステップと、
−測定した応答の振幅を基準応答の振幅と比較するステップと、
−測定した応答の包絡線を基準応答の包絡線と比較するステップと、
−測定したスペクトル応答を基準スペクトル応答と比較するステップと、
−測定した応答の統計要素を基準応答の統計要素と比較するステップ。
【００２５】
本発明はまた、非接触読み取り機に関し、この非接触読み取り機は、
−アンテナと、
−受信機との通信段階の間に、アンテナを、このアンテナの共振周波数に実質的に等しい周波数で選択的に励振するように構成されている回路とを備えている。
【００２６】
前記回路は、
−第１の値の電圧と第２の値の電圧との間のランプと、
−そのランプに続いた、第２の値の電圧におけるプラトーとを備えた電圧でアンテナを選択的に励振し、
−前記プラトーの間にアンテナ応答を測定し、
−測定した応答を基準応答と比較し、
−比較の結果に基づいて、アンテナの磁界の中の受信機の存在を判定するようにさらに構成されている。
【００２７】
１つの実施形態においては、読み取り機のアンテナは、直列に接続された抵抗、容量、およびインダクタンスを有し、共振器自然周期Ｔの共振器でモデル化することができ、前記回路は、０．１＊Ｔよりも短い継続時間を有する前記ランプを印加するように構成されている。
【００２８】
別の実施形態においては、前記回路は、８＊Ｔよりも長い継続時間を有する前記プラトーを印加するように構成されている。
【００２９】
更なる実施形態においては、読み取り機は、誘導結合アンテナを有するタイプである。
【００３０】
本発明の他の特徴および利点は、添付した図面を参照して行う下記の説明から明らかになると思う。これらは、非限定的な例として示すものである。
【図面の簡単な説明】
【００３１】
【図１】誘導タイプの読み取り機およびＲＦＩＤ受信機を含むシステムの電気的等価回路を示す図である。
【図２】受信機の検出段階の間に行う送信機アンテナの励振を示す図である。
【図３】読み取り機の磁界の中に受信機が存在しない場合の、読み取り機のアンテナのステップ応答を示す図である。
【図４】読み取り機の磁界の中に受信機が存在する場合の、読み取り機のアンテナのステップ応答を示す図である。
【図５】アンテナ応答を測定するための励起信号を示す図である。
【図６】ランプの立ち上がり時間が応答の振幅に与える影響を示す図である。
【図７】いくつかの連続した検出ステップを備えた待ち受け段階を示す図である。
【図８】アンテナ応答を較正するためのサンプリング位相を示す図である。
【図９】本発明を実行することができる読み取り機の１つの例を示す図である。
【図１０】検出ステップの間の読み取り機の瞬時電力の包絡線を比較して示す図である。
【図１１】読み取り機のアンテナの種々の応答を受信機からの距離の関数として示す図である。
【発明を実施するための形態】
【００３２】
本発明は、読み取り機のアンテナの磁界の中にある非接触受信機を検出するための方法を提供する。この目的のために、読み取り機のアンテナは、第１の値の電圧と第２の値の電圧との間のランプと、第２の値の電圧におけるプラトーとを備える電圧によって励振される。アンテナ応答は、プラトーの間に測定され、基準応答と比較される。比較の結果に基づいて、アンテナの磁界の中の受信機の存在が判定される。プラトーは、同じ値の電圧を維持する状態を意味している。
【００３３】
本発明によると、待ち受け段階の間の読み取り機の電力消費を大幅に低減することができ、これにより、受信機の存在を認識する能力が変化することはない。特に、本発明によると、アンテナをその共振周波数で励振する必要なく、受信機の存在を検出することができる。これにより、電力消費を大幅に低減することができる。
【００３４】
読み取り機の待ち受け段階の間は、アンテナの磁界の中に受信機が検出されない限り、検出ステップは定期的な時間間隔で実行される。読み取り機の待ち受け段階の間に受信機を検出するためのステップは、次の３つのサブステップを含んでいる。
−ランプとプラトーとを組み合わせた電圧によってアンテナを励振するステップと、
−アンテナ応答を測定するステップと、
−測定した応答を基準応答と比較して、受信機の存在を判定するステップ。
【００３５】
図２は、待ち受け段階の間の検出ステップにおいて、本発明による読み取り機のアンテナに印加される励振の１つの例を示す。印加される励振は、第１の値のＤＣ電圧がアンテナ端子に印加されることから開始される。この場合には、この第１の値はゼロである。第１の時間区間Ｆｍの間は、アンテナ端子には電圧ランプが印加される。次に、第２の時間区間Ｐｌの間は、第２の値の電圧におけるプラトーがアンテナ端子に印加される。この場合には、この第２の値の電圧は、電圧ランプの終点に達した高い値（例えば、５Ｖ）である。
【００３６】
実行する場合には、アンテナによって形成されている共振回路は、ランプによって充電されて、読み取り機のアンテナは、広い周波数範囲にわたって励振される。従って、この広い周波数範囲は、受信機の共振周波数を容易に含むことができ、読み取り機に返される磁界の生成を容易にすることができる。
【００３７】
プラトーによって、読み取り機のアンテナの強度応答における干渉を回避することができる。その結果、プラトーは、読み取り機のアンテナ応答を測定するための継続時間の主要部分（すなわち、読み取り機のアンテナ応答を測定するための継続時間の少なくとも５０％を超える部分）にわたることができ、または更に、読み取り機のアンテナ応答を測定するための継続時間の全体にわたる（この場合には、測定は、プラトーの間だけで実行することができる）ことができ、これは有利なことである。プラトーは、少なくとも、読み取り機のアンテナの共振周期の８倍の長さに等しい継続時間であれば、これにより、応答は、その振幅が最大の時の継続時間の中で、干渉を受けることがなく測定することができるので、これは有利なことである。
【００３８】
さらに、プラトーによって、測定を行う時間区間以外での電力消費を抑えることができる。実に、読み取り機のアンテナを通して流れる電流は、急速にゼロに下降して、その結果、アンテナの電力消費はゼロになる。プラトーは、少なくとも読み取り機のアンテナの共振周期の５０倍に等しい長さの継続時間を有していると有利である。
【００３９】
このような励振を行えば、アンテナ回路の共振周波数で励振を行う場合と比較して、電力消費を大幅に低減することができる。従って、待ち受け段階の間の読み取り機の電力消費は、大幅に低減される。
【００４０】
図３は、アンテナの磁界の中に受信機が存在しない場合の、図２に示す励振信号に対するアンテナの強度応答を示す。図４は、アンテナの磁界の中に受信機が存在する場合の、図２に示す励振信号に対するアンテナの強度応答の１つの例を示す。印加される電圧ランプの傾斜を見ると、これらの応答は、ステップ応答であると考えることができる。
【００４１】
応答は、励振のプラトーの間に測定することが有利である。しかし、ランプの間に一部を測定することもできる。従って、アンテナ端子のところで励振することにより、応答の測定が干渉の影響を受けないようにすることができる。図５は、アンテナ応答をサンプリングするための励起信号を示す。サンプリングは、発振周期約１０周期（すなわち、７３７ｎｓ）に対応した時間区間にわたって実行される。
【００４２】
図３に示すように、アンテナの磁界の中に受信機が存在しない場合には、アンテナを通して流れる電流は減衰発振の形をしている。この発振は、アンテナと回路とをモデル化している直列ＲＬＣ回路の共振周波数で変調された指数関数的減衰を示している。
【００４３】
図４に示すように、アンテナの磁界の中に受信機が存在する場合には、アンテナを通して流れる電流は、読み取り機のアンテナ回路をモデル化している直列ＲＬＣ回路の共振周波数で変調された発振を示している。この発振は、同時に減衰とビートとを示している。
【００４４】
応答におけるこれらの差は、読み取り機のアンテナの磁界の中に受信機が存在する場合には、読み取り機のアンテナの伝達関数が変化するということで、理論的に説明することができる。受信機のアンテナの共振周波数は、読み取り機のアンテナの共振周波数と比較して、ある程度異なっているという事実によって、受信機のアンテナによって生成され読み取り機に返される磁界は、読み取り機のアンテナと干渉を起こす。結合がある場合の送信側のアンテナの不整合、およびアンテナ間の距離もまた、応答に影響を与える。更に、読み取り機のアンテナと受信機のアンテナとの間の結合は、読み取り機のアンテナの共振周波数をシフトさせる原因になる。
【００４５】
いくつかの受信機が存在する場合の応答は、図４に示す応答とは異なる可能性があると考えられる。しかしながら、これらの存在は、図３に示す応答に関して大きな差異があることから、容易に識別できると思われる。
【００４６】
図６は、読み取り機のアンテナ応答をランプの種々の立ち上がり時間Ｆｍの関数として示したものである。アンテナ応答は、読み取り機のアンテナの磁界の中には受信機が存在しない場合で、第２の値の電圧は５Ｖに等しく、またプラトーの継続時間を無限としてシミュレートされている。
【００４７】
立ち上がり時間が１ｎｓに対する応答は、立ち上がり時間が１０ｎｓに対する応答と同様であるということが観測された。１００ｎｓの立ち上がり時間に対しては、応答の振幅は大幅に減衰し、また１μｓの立ち上がり時間に対しては、実質的にゼロである。
【００４８】
実行する場合には、アンテナの共振周期Ｔに対して、立ち上がり端の継続時間はＴ／３よりも短いことが有利であり、また、継続時間はＴ／４よりも短いことが望ましい（これは、発振の立ち上がり端の継続時間に対応している）。このような立ち上がり時間の継続時間によって、アンテナ応答の振幅が十分にあることを示すことができ、これにより、十分な測定と解析とを行うことができ、ランプが、応答の発振と干渉を与えることはない。
【００４９】
第２の値の電圧を相当に高い値に設定して別のシミュレーションを行った結果、ランプの立ち上がり時間Ｆｍが、このランプの傾斜に関連して、応答の振幅に対して支配的になるということが示された。
【００５０】
更なるシミュレーションの結果、プラトーがＴ／４以上の継続時間であれば、アンテナ応答の振幅として十分な振幅が得られることが保証され、歪みも低く抑えることができるということが示された。
【００５１】
引き続く検出ステップの間に電力消費を最適にするためには、電圧プラトーを次に続く検出ステップまで維持すると有利である。図７に示すように（発生器によってアンテナに印加する電圧を縦軸に示してある）、励振は、次に続く検出ステップの間に、第２の値の電圧と第１の値の電圧との間のランプを備えている。従って、前のプラトーからの立ち下がり端は、アンテナからの応答を求めるために使用される。従って、これまでに行っているアンテナ応答の測定は、次に続く検出ステップのために、このランプの前で中断される。それぞれの新しい検出ステップに対する出発点は、図７の中で垂直な点線で示されている。
【００５２】
読み取り機のアンテナの磁界の中にある受信機の検出を続行するために、測定したアンテナ応答と基準応答との間で種々の比較を実行することができる。これらの比較は、特に、基準応答と測定した応答との間の相関を算出すること、測定した応答の振幅を基準振幅と比較すること、測定した応答の包絡線を基準応答の包絡線と比較すること、測定したスペクトル応答を基準スペクトル応答と比較すること（例えば、ＦＦＴタイプの解析によって）、または、測定した応答の統計要素（分散、平均等）を基準応答の統計要素に関して比較することであってよい。
【００５３】
比較の間に、基準応答と測定した応答との間に密な類似性が判定された場合には、読み取り機は、この結果から、自分の磁界の中には受信機が存在しないことを推論する。検出ステップを繰り返すことにより、待ち受け段階を続ける。
【００５４】
反対の場合で、基準応答と測定した応答との間に非類似性が識別された場合には、読み取り機は、この結果から、自分のアンテナの磁界の中には受信機が存在しているということを推論する。従って、読み取り機は、アンテナをアンテナの共振周波数で励振することにより、アンテナの無線周波数磁界を励起し、通信標準規格の中で規定されているプロトコルに従って、受信機に対して要求を送信する。
【００５５】
誤陰性の場合で、読み取り機のアンテナの磁界の中に存在する受信機が検出されなかった場合には、この受信機は、後の検出ステップの間に検出されると思われる。２つの連続した検出ステップの間の時間間隔は、適用対象の要求条件によって規定される。そして、これは、例えば、１０μｓと１０ｍｓとの間の範囲にあると考えられる。
【００５６】
誤検知の場合で、読み取り機が自分のアンテナの磁界の中の受信機の存在を誤って判定した場合には、読み取り機は、自分の無線周波数磁界を励起した後には、読み取り機の要求に対するいずれの応答も得ない。従って、読み取り機は、待ち受け段階に戻って、検出ステップを繰り返すこととなる。
【００５７】
アンテナに対する基準応答は、読み取り機の設定時に、または製造時の間に行われる較正ステップの中で決定される。この応答は、待ち受け段階の間に印加されることを意図した電圧のランプおよびプラトーが印加されている間に測定される。また、この応答は、読み取り機の磁界の中に受信機が存在しない場合測定される。
【００５８】
アンテナ応答は、周波数領域または時間領域における特徴付けが目的であると考えることができる。
【００５９】
較正のある例では、アンテナの時間応答は、サンプリングの方法によってディジタル化することができる。これは図８に示されている。サンプリングは、時間応答の減衰正弦波の振幅最大値だけを記憶するだけでよく、この場合には、応答の包絡線の形状を記憶する量になる。振幅最大値は、同期してサンプルすることができ、その応答は、サンプリングクロックを形成する。各サンプルに対して、１つの振幅最大値に対応した１つの時間値と１つの振幅値とが得られる。サンプルされた値は、表の中に貯蔵させておき、読み取り機が動作しているときに、検出ステップの間にサンプルされた値と、それらの値とを比較することができる。
【００６０】
図９は、本発明を実施するように構成された読み取り機３の１つの例を示す。読み取り機３は、アンテナ回路Ａを備え、アンテナ回路Ａは、抵抗Ｒおよび容量Ｃに直列に接続された等価インダクタンスＬでモデル化することができる。従って、このアンテナ回路Ａは、直列共振ＲＬＣ回路でモデル化される。この直列ＲＬＣ回路は、典型的に、標準規格ＩＳＯ１４４４３に従って、読み取り機に対しては約１３．５６ＭＨｚの共振周波数を有する。読み取り機３は、電流測定プローブＳ（例えば、アンテナ回路を通して流れる電流を測定するためのコイル）を備えている。アンテナ回路Ａは、読み取り機３の電子回路Ｐｅに接続されている。電子回路Ｐｅは、電源Ｇ、サンプリング回路Ｅ、メモリＭ、処理回路Ｐｒｏ、および制御回路Ｃｍｄを含んでいる。電流測定プローブＳは、サンプリング回路Ｅに接続されている。処理回路Ｐｒｏは、サンプリング回路Ｅ、制御回路Ｃｍｄ、およびメモリＭと通信する。制御回路Ｃｍｄは、電源Ｇの励振を制御する。
【００６１】
制御回路Ｃｍｄは、アンテナＡに対してランプおよびプラトーを含む励振を印加するように、発生器Ｇにコマンドを送信する。サンプリング回路Ｅは、この励振に対する応答のサンプリングを行う。メモリＭは、アンテナＡの基準応答を記憶している。処理回路Ｐｒｏは、サンプルされた応答を、メモリＭの中に記憶されている基準応答と比較する。処理回路Ｐｒｏは、この比較の結果に基づいて受信機の存在を判定する。処理回路ＰｒｏがアンテナＡの磁界の中に受信機が存在すると判定した場合には、対応した信号が制御回路Ｃｍｄに送信される。制御回路Ｃｍｄは、受信機に対して要求を送信するべく、アンテナＡの共振周波数における電圧を印加するように、電源Ｇに対してコマンドを送信する。
【００６２】
図１０は、本発明の１つの実施形態における読み取り機と従来技術における同様の読み取り機に関して、それぞれの発生器が消費する瞬時電力の包絡線を比較して示したものである。シミュレーションは、抵抗Ｒを７．３Ω、容量Ｃを９０ｐＦ、インダクタンスを１．５μＨとして、モデル化したアンテナ回路を使用し、また発生器が印加する第１の値の電圧と第２の値の電圧との間の差を、１０Ｖとして行った。
【００６３】
実線の曲線は、本発明の実施形態における読み取り機に対応し、破線の曲線は従来技術における読み取り機に対応している。
【００６４】
本発明による読み取り機によって消費される電力の最大振幅は、従来技術による読み取り機によって消費される電力の最大振幅の約１／１０であるということを観測することができる。さらには、本発明による読み取り機によって消費される電力は、減少して、１．５μｓの後には実質的にゼロになる。従来技術による読み取り機によって消費される電力は、１．５μｓの後には、最大振幅まで増加し、検出ステップの無線周波数の励振が加えられている間の残りの全区間において、このレベルが維持される。
【００６５】
本発明の改善策によれば、読み取り機は、読み取り機と、読み取り機のアンテナの磁界の中に置かれた受信機との間の距離を判定することができ、これは有利なことである。図１１は、この目的のために、読み取り機のアンテナの種々の応答を、読み取り機と受信機との間の距離の関数として示したものである。アンテナ応答は、この距離に強く影響を受けるということを観察することができる。
【００６６】
読み取り機のアンテナと受信機との間の距離を判定するために、読み取り機３における種々の事前初期較正を実行することができる。読み取り機のアンテナ応答を、種々の距離に対してサンプルを取る。これらの応答を、種々の距離に対する基準応答として読み取り機の中に記憶する。
【００６７】
検出段階の間に、測定した応答を種々の基準応答と比較することにより、読み取り機のアンテナと受信機との間の距離を推定することができる。距離は、測定した応答に最も近い基準応答の距離であると判定することができる。または、測定した応答に最も近い２つの基準応答に対する２つの距離の間の内挿から求めることもできる。
【００６８】
本発明の別の改善によれば、読み取り機により、自分のアンテナの磁界の中に存在するカードのタイプを識別することができる。受信機タイプのこの識別は、これを実行することにより、読み取り機による受信機の認証を強化し、従って不正行為を防ぐことができる。このように、認証はシステムの物理層を使用して強化される。
【００６９】
上記で述べた認証は、特に、増幅および転送タイプの中継攻撃の検出に使用することができると考えられる。中継タイプの攻撃は、受信機の近くに不正な中継器を個別に設置することにより、この受信機を励起することをねらっている。この中継器を使用して、遠隔に置かれた読み取り機と不正な通信処理を実行する。復号化および転送タイプの攻撃に対しては、受信機の認証に対する基準を作ることができる。
【００７０】
上記で述べたような受信機の識別を可能にするために、読み取り機３の種々の事前較正を実行することができる。この場合には、読み取り機３は、種々のタイプの受信機を使用して較正することができる。これらのタイプの受信機のそれぞれに対して、読み取り機のアンテナ応答のサンプルが取られる。これら種々の応答は、種々のタイプの受信機に対する基準応答として読み取り機の中に記憶される。同一の受信機に対していくつかの応答を記憶することにより、可能性のあるいくつかの距離を考慮することもできる。
【００７１】
１つの改善によれば、読み取り機は、受信機が読み取り機のアンテナの上に誘起する連続した応答を解析することにより、受信機のパスを遡って調べることができる。これらの応答は、これらの種々の距離における受信機の基準応答と比較することもできるであろう。このように、受信機の認証は、より高い精度でその判定を行うことが可能になると考えられる。不正な中継の検出は、大幅に容易になる。
【００７２】
検出段階の間に、測定した応答を種々の基準応答と比較して、読み取り機のアンテナの磁界の中に存在する受信機のタイプを推定することができる。
【００７３】
読み取り機のアンテナ端子に励振が加えられたときに、受信機のアンテナを通して電流が流れる。認証の動作性能を向上させるために、受信機が、読み取り機のアンテナの励振から受ける受信機のアンテナ応答を測定することも考えられる。この場合には、受信機は、測定した応答を読み取り機に送信することができる。従って、読み取り機は、次に示す方法で、受信機の認証を強化することができる。読み取り機は、自分自身の応答を測定した後に、受信機に対して予想される応答を、対応したデータベースから求めることができる。そして、読み取り機は、この予想した応答を、受信機から送信された、測定した応答と比較することができる。この予想した応答と、受信機から送信された、測定した応答との間に大きな不一致があった場合には、読み取り機は、不正行為の試みを検出することができる。
【図１】
2012231463.tif 000003
【図２】
2012231463.tif 000004
【図３】
2012231463.tif 000005
【図４】
2012231463.tif 000006
【図５】
2012231463.tif 000007
【図６】
2012231463.tif 000008
【図７】
2012231463.tif 000009
【図８】
2012231463.tif 000010
【図９】
2012231463.tif 000011
【図１０】
2012231463.tif 000012
【図１１】
2012231463.tif 000013
【外国語明細書】
2012231463000001.pdf